(57)【要約】【課題】伝送装置が異常状態になって監視制御サーバに予め設定された性能値以上の想定外なデータ量が送信されてきた場合でも、監視制御機能を阻害することなく運転を継続することができるようにした。【解決手段】複数の伝送装置３Ａ、３Ｂ、・・・３Ｎのうちの特定の伝送装置から想定外の異常な量の伝送データ５Ａ、５Ｂ、・・・５Ｎが監視制御サーバ２に送信されてきた場合に、伝送データ量と監視制御サーバ２のＣＰＵ資源に関するＣＰＵ監視制御手段２−１４からの情報とをもとに、予め性能しきい値情報テーブル２−１２に設定されている性能しきい値情報を用いて定量的な判定を実施し異常検出を行うことにより、監視制御サーバ２の運転継続の阻害要因となっている異常な伝送装置からの伝送データを破棄し、正常な伝送装置からの伝送データを取込むようにして、正常な伝送装置からの伝送データで監視制御サーバ２の運転を継続する。【選択図】図１
2010110040.tif 000002
【特許請求の範囲】
【請求項１】
電力系統設備の監視制御を行う監視制御サーバと、電力系統設備の状態情報を前記監視制御サーバに送信すると共に当該監視制御サーバからの電力系統設備への制御情報を受信する複数の伝送装置と、前記監視制御サーバと複数の伝送装置とを情報伝送ネットワーク装置で結合するようにした電力系統監視制御装置において、
電力系統設備の状態情報を複数の伝送装置から情報伝送ネットワークを介して伝送データとして受信し、データの受信時の伝送装置毎のデータ量を時間単位に保存する伝送データ受信手段と、
前記伝送データ受信手段で受信した伝送データを用いて電力系統監視を行う系統監視手段と、
受信した伝送データを前記伝送データ受信手段から前記系統監視手段への受け渡しに用いる受信データ保存手段と、
前記複数の伝送装置毎の伝送データ量を時間単位に保存する伝送データ量トレンド情報保存手段と、
伝送データ量しきい値、ＣＰＵ使用率しきい値および空きメモリサイズしきい値を保存する性能しきい値情報保存手段と、
定周期で動作し、前記伝送データ量トレンド情報保存ファイルに保存されている伝送データ量トレンド情報を参照して前記性能しきい値情報保存手段に保存されている伝送データ量しきい値と比較を行うことにより、伝送データ量が伝送データ量しきい値を超過している時間が予め定めた所定時間継続した場合に伝送データ量に異常ありと判定する伝送データ量監視手段と、
前記監視制御サーバの運転状態情報としてのＣＰＵ使用率および空きメモリ量を時間単位に採取し保存を行うＣＰＵ資源監視手段と、
前記ＣＰＵ資源監視手段で採取したＣＰＵ資源の時間単位の情報を保存するＣＰＵ資源トレンド情報保存手段と、
前記伝送データ量監視手段による通知を受けた時点から伝送データ量超過を初めて検出した時点まで遡って、その間のＣＰＵ資源トレンド情報を参照して前記性能しきい値情報保存手段に保存されているＣＰＵ使用率しきい値および空きメモリサイズしきい値と比較を行うことにより、ＣＰＵ使用率がしきい値以上で、かつ空きメモリサイズがしきい値以下の状態が一定回数以上ある場合異常と判定し、該当する伝送装置に対する伝送ロックを行うための設定要求を出力する伝送量異常通知手段と、
前記伝送量異常通知手段からの出力を受け、伝送異常と判定された伝送装置からの伝送データを前記受信データ保存ファイルへの保存を行わないように前記伝送データ受信手段に対して設定要求する伝送ロック設定手段と、
から前記監視制御サーバを構成したことを特徴とする電力系統監視制御装置。
【請求項２】
前記ＣＰＵ資源トレンド情報保存手段に保存されている前記複数の伝送装置毎の伝送データ量を定周期で参照して伝送データ量が増加傾向であるかを判定し、かつ増加傾向が一定時間継続した場合に性能しきい値を超過する可能性があるかを判定する受信データ量予測手段と、
前記受信データ量予測手段より通知され予測結果を運転員へ通知する伝送量異常通知手段と、
前記伝送ロック設定手段に対して伝送ロック状態を設定する伝送ロックマンマシン手段と、
を備えたことを特徴とする請求項１記載の電力系統監視制御装置。
【請求項３】
伝送データ量異常を検出し伝送ロック状態が設定されている伝送装置からの伝送データ量が、一定時間継続して性能しきい値以内となり異常状態から復帰を検出したとき、前記伝送ロック設定手段に対して伝送ロック状態の解除を要求する伝送データ量復帰手段と、
伝送ロック設定情報を解除後に伝送データのロック中に状態変化した電力系統設備と監視制御サーバが保持する電力系統設備状態との状態合わせを行う系統状態合わせ手段と、
状態合わせを行うために伝送装置に対して状態あわせ要求を送信するデータ送信手段と、を備えたことを特徴とする請求項１記載の電力系統監視制御装置。
【請求項４】
前記伝送装置毎に伝送データ量異常時のロック設定に関するロック設定優先度情報を保存するロック設定優先度情報保存手段を備え、
前記伝送量異常通知手段により複数の伝送装置からの伝送データが伝送データ量しきい値を超過するものと判定された場合、前記ロック設定優先度情報保存手段を参照することによって、伝送装置毎に設定した優先度を外部に通知することを特徴とする請求項２記載の電力系統監視制御装置。
【発明の詳細な説明】
【技術分野】
【０００１】
本発明は、電力系統設備の監視および制御を行う電力系統監視制御装置に係り、特に想定外のデータ量が伝送されてきた場合でも監視制御サーバの運転を継続して行えるようにした電力系統監視制御装置に関する。
【背景技術】
【０００２】
電力系統監視制御装置は、広域に点在する電力系統設備の状態を監視し、必要に応じて制御し、運転情報・計測記録等の運転に必要な情報を記録するシステムであり、監視制御サーバと電力系統設備の近傍に設置された伝送装置（テレコン）とをネットワークにより結合する構成が一般的である（例えば、特許文献１参照）。
【０００３】
そして、複数の伝送装置のうちの任意の伝送装置を点検作業しているとき、あるいは任意の伝送装置に故障が発生したときに、当該伝送装置から監視制御サーバに対して異常なデータが送られて監視制御サーバが高負荷状態になってフリーズすなわち動作停止に陥るのを避けるために、監視制御サーバ内に誤ったデータをロック（削除）するデータロック手段を設けたものも発表されている（例えば、特許文献２参照）。
【０００４】
図１４は、データロック手段を備えたことで上記特許文献２と同等の他の従来技術を示す電力系統監視制御装置のブロック図である。  
図１４の電力系統監視制御装置は、電力系統設備１Ａ、１Ｂ、・・・１Ｎの監視および制御を行う監視制御サーバ２と、配電盤や遠方監視制御子局および遠方監視制御親局等から構成されて電力系統設備１Ａ、１Ｂ・・・１Ｎの状態情報を監視制御サーバ２側に伝送したり、監視制御サーバ２からの電力系統設備１Ａ、１Ｂ・・・１Ｎへの制御情報を伝送したりする複数の伝送装置３Ａ、３Ｂ、・・・３Ｎと、これら監視制御サーバ２と伝送装置３Ａ、３Ｂ、・・・３Ｎとを接続する情報伝送ネットワーク装置４とから構成されている。
【０００５】
以下、監視制御サーバ２に注目して説明する。
監視制御サーバ２は、ディジタル計算機のハードウェアおよびソフトウェアを利用して構成したものであり、伝送装置３Ａ、３Ｂ、・・・３Ｎに対応して設けられてそれぞれの伝送データ５Ａ、５Ｂ、・・・５Ｎを受信する複数の伝送データ受信手段２−１Ａ〜２−１Ｎと、この伝送データ受信手段２−１Ａ〜２−１Ｎで受信したデータを一時的に保存する受信データ保存手段としての受信データ保存ファイル２−２と、受信データファイル２−２に保存された受信データを入力し、電力系統設備１Ａ、１Ｂ、・・・１Ｎの状態を監視する系統監視手段２−３と、電力系統設備１Ａ、１Ｂ、・・・１Ｎの状態を保存する電力系統設備情報保存手段としての電力系統設備情報保存ファイル２−４とを備えている。
【０００６】
監視制御サーバ２は、上記の基本構成に加えて、データをロック（削除）するために、さらに次の手段やファイル等を備えている。すなわち、伝送装置３Ａ、３Ｂ、・・・３Ｎ毎の伝送データ５Ａ、５Ｂ、・・・５Ｎに対する「保存」あるいは「破棄」の設定を行うために、運転員からのロック設定要求あるいはロック解除要求を受け付ける伝送ロックマンマシン手段２−５と、この伝送ロックマンマシン手段２−５からのロック設定指令またはロック解除指令を入力して伝送ロック設定またはロック解除を設定する伝送ロック設定手段２−６と、伝送データ５Ａ、５Ｂ、・・・５Ｎに対する「保存／破棄」をロック解除／ロック設定として指定する情報を保存する伝送ロック設定情報保存手段としての伝送ロック設定情報保存ファイル２−７と、伝送ロック状態中の電力系統設備状態２−４を伝送ロック状態の解除指令を受けて、伝送ロック中に変化した電力系統設備の現状の状態に合わせるために系統状態合わせを行う系統状態合わせ手段２−８と、伝送装置３Ａ、３Ｂ、・・・３Ｎに対して状態あわせ要求データ６を送信するデータ送信手段２−９とを備えている。
【０００７】
このように構成された監視制御サーバ２において、運転員が、伝送ロックマンマシン手段２−５および伝送ロック設定手段２−６を介して、伝送ロック設定情報保存ファイル２−７に保存されている伝送装置３Ａ、３Ｂ、・・・３Ｎのうちの特定の伝送装置に対する伝送ロック設定情報を「ロック状態；１」に設定することによって、当該特定の伝送装置から伝送されてくる伝送データを破棄することができるようになっている。
【０００８】
運転員が、逆に、伝送ロックマンマシン手段２−５を介して伝送データの「ロック解除；０」を設定した場合、系統状態合わせ手段２−８はデータ伝送手段２−９から状態合わせ要求６を情報伝送ネットワーク装置４を経て伝送装置３Ａ、３Ｂ、・・・３Ｎのうちの特定の伝送装置に伝送する。当該伝送装置は、電力系統設備１Ａ、１Ｂ、・・・１Ｎのうちの管轄する電力系統設備の全状態情報を取り込み、情報伝送ネットワーク装置４を経て監視制御サーバ２の伝送データ受信手段２−１Ａ〜２−１Ｎに向け送信する。伝送データ受信手段２−１Ａ〜２−１Ｎは、受信データを受信データファイル２−２を経て系統監視手段２−３に送信する。系統監視手段２−３は、伝送データの「ロック解除」前に受信して電力系統設備状態保存ファイル２−４に保存されている電力系統設備状態と「ロック解除」後の受信データ２−２とを突合せることにより、伝送ロック状態設定中に変化した系統設備の状態変化を検出する。
【特許文献１】特開２００２−２３８１５８号公報
【特許文献２】特開平１０−２０１１４２号公報
【発明の開示】
【発明が解決しようとする課題】
【０００９】
上述した従来の電力系統監視制御装置では、電力系統における広域及び大規模な系統事故が発生した場合を想定して、監視制御サーバ２が高負荷状態となっても処理が可能な性能値を決めてはいるが、複数の伝送装置３Ａ、３Ｂ、・・・３Ｎのうちの１台若しくは２台以上の伝送装置の異常等が原因で、監視制御サーバ２の性能値以上の想定していなかった大量のデータ量が伝送されてきた場合には、監視制御サーバ２はそもそも全ての伝送データを受信して系統監視を行うよう動作するため、監視制御サーバ００１が高負荷状態に陥り、この高負荷状態を継続すると監視制御サーバ２がフリーズ（動作停止）して電力系統監視制御装置の運転を阻害するおそれがあった。
【００１０】
また、従来の電力系統監視制御装置では伝送装置３Ａ、３Ｂ、・・・３Ｎからの伝送データを伝送装置毎のロック状態により破棄する手段を有しているが、その破棄する手段は運転員の設定で行うため、伝送データ量異常の場合に定量的な判断で自動的にロックを行うことができなかった。
【００１１】
そこで、本発明は特定の伝送装置が異常状態になって監視制御サーバに予め設定された性能値以上の想定外なデータ量が送信されてきた場合でも、他の正常な伝送装置からの伝送データの監視制御機能を阻害することなく運転を継続することのできる電力系統監視制御装置を提供することを目的とするものである。
【課題を解決するための手段】
【００１２】
上記の目的を達成するため、請求項１に係る発明は、電力系統設備の監視制御を行う監視制御サーバと、電力系統設備の状態情報を前記監視制御サーバに送信すると共に当該監視制御サーバからの電力系統設備への制御情報を受信する複数の伝送装置と、前記監視制御サーバと複数の伝送装置とを情報伝送ネットワーク装置で結合するようにした電力系統監視制御装置において、
電力系統設備の状態情報を複数の伝送装置から情報伝送ネットワークを介して伝送データとして受信し、データの受信時の伝送装置毎のデータ量を時間単位に保存する伝送データ受信手段と、
前記伝送データ受信手段で受信した伝送データを用いて電力系統監視を行う系統監視手段と、
受信した伝送データを前記伝送データ受信手段から前記系統監視手段への受け渡しに用いる受信データ保存手段と、
前記複数の伝送装置毎の伝送データ量を時間単位に保存する伝送データ量トレンド情報保存手段と、
伝送データ量しきい値、ＣＰＵ使用率しきい値および空きメモリサイズしきい値を保存する性能しきい値情報保存手段と、
定周期で動作し、前記伝送データ量トレンド情報保存ファイルに保存されている伝送データ量トレンド情報を参照して前記性能しきい値情報保存手段に保存されている伝送データ量しきい値と比較を行うことにより、伝送データ量が伝送データ量しきい値を超過している時間が予め定めた所定時間継続した場合に伝送データ量に異常ありと判定する伝送データ量監視手段と、
前記監視制御サーバの運転状態情報としてのＣＰＵ使用率および空きメモリ量を時間単位に採取し保存を行うＣＰＵ資源監視手段と、
前記ＣＰＵ資源監視手段で採取したＣＰＵ資源の時間単位の情報を保存するＣＰＵ資源トレンド情報保存手段と、
前記伝送データ量監視手段による通知を受けた時点から伝送データ量超過を初めて検出した時点まで遡って、その間のＣＰＵ資源トレンド情報を参照して前記性能しきい値情報保存手段に保存されているＣＰＵ使用率しきい値および空きメモリサイズしきい値と比較を行うことにより、ＣＰＵ使用率がしきい値以上で、かつ空きメモリサイズがしきい値以下の状態が一定回数以上ある場合異常と判定し、該当する伝送装置に対する伝送ロックを行うための設定要求を出力する伝送量異常通知手段と、
前記伝送量異常通知手段からの出力を受け、伝送異常と判定された伝送装置からの伝送データを前記受信データ保存ファイルへの保存を行わないように前記伝送データ受信手段に対して設定要求する伝送ロック設定手段と、
から前記監視制御サーバを構成したことを特徴とする。
【発明の効果】
【００１３】
本発明の電力系統監視制御装置によれば、予め設定されている性能値以上の量の伝送データを任意の伝送装置から受信した場合に、ＣＰＵ資源の監視結果を加味して、伝送データ量が異常な伝送装置に対する伝送ロックを設定し、受信した伝送データの破棄を行い、伝送データ量が異常な伝送データに対する電力系統設備の系統監視を行わないことで、監視制御サーバが運転を継続できる状態を維持し、正常な伝送装置からの伝送データを扱うことができる。
【発明を実施するための最良の形態】
【００１４】
以下、本発明の実施の形態について、図面を参照して説明する。なお、各図を通して同一部分には同一符号を付けることにより、重複する説明は適宜省くものとする。
【００１５】
（第１の実施の形態）
図１は、本発明の第１の実施の形態を示す電力系統監視制御装置のブロック図である。
本実施の形態の電力系統監視制御装置は、電力系統設備１Ａ、１Ｂ、・・・１Ｎの監視および制御を行う監視制御サーバ２と、配電盤や遠方監視制御子局および遠方監視制御親局等から構成されて電力系統設備１Ａ、１Ｂ・・・１Ｎの状態情報を監視制御サーバ２側に伝送したり、監視制御サーバ２からの電力系統設備１Ａ、１Ｂ・・・１Ｎへの制御情報を伝送したりする複数の伝送装置３Ａ、３Ｂ、・・・３Ｎと、これら監視制御サーバ２および伝送装置３Ａ、３Ｂ、・・・３Ｎを結合する情報伝送ネットワーク装置４とから構成されている。なお、本実施の形態においても監視制御サーバ２は、従来例と同様にディジタル計算機のハードウェアおよびソフトウェアを利用して構成したものである。
【００１６】
第１の実施の形態は、電力系統設備状態に関する伝送データ５Ａ、５Ｂ、・・・５Ｎが、複数の伝送装置３Ａ、３Ｂ、・・・３Ｎより情報伝送ネットワーク装置４を介して監視制御サーバ２に対して伝送された際に、伝送装置３Ａ、３Ｂ、・・・３Ｎのうち、任意の伝送装置例えば、伝送装置３Ａから伝送されるデータ量が異常なケースとなり、監視制御サーバ２が運転員の操作を介さずに、自動的にデータロック処理を実施する場合を説明するが、勿論、運転員が伝送ロックマンマシン手段２−５から伝送ロック設定手段２−６に伝送ロック指令を出すこともできる。
【００１７】
まず、伝送装置３Ａから送信された伝送データ５Ａを監視制御サーバ２の伝送データ受信手段２−１Ａが受信する。伝送データ受信手段２−１Ａは、受信した「伝送データのサイズ」を時刻毎に伝送データ量トレンド情報保存手段としての伝送データ量トレンド情報保存ファイル２−１０へ保存を行う。
【００１８】
伝送データ量監視手段２−１１は、例えば秒単位の一定周期で伝送データ量トレンド情報保存ファイル２−１０に保存されている伝送データ量トレンド情報を参照して、性能しきい値情報保存手段としての性能しきい値情報テーブル２−１２内に予め保存されている「伝送データ量しきい値」と比較を行い、時刻毎の「伝送データのサイズ」が「伝送データ量しきい値」を超えている時間が所定定時間（例えば、数十秒〜１分程度）継続している場合に伝送データ量異常の発生と判断し、伝送量異常通知手段２−１３に対して伝送データ量の超過を最初に検出した時刻ｔ１を「発生時刻」として通知する。
【００１９】
図２は、伝送データ量監視手段２−１１の内部応動状況と、通知を受ける伝送量異常通知手段２−１３との関係を示す図である。
時刻ｔ１より前では、伝送データ量が「伝送データ量しきい値」を超過することは無いが、時刻ｔ１に到達した時点で伝送データ量は「伝送データ量しきい値」を最初に超過する。このため、時刻ｔ１は伝送データ量異常発生時刻と呼ばれる。時刻ｔｍは伝送データ量異常発生時刻ｔ１から計測して所定時間となる時刻であり、伝送データ量監視手段２−１１から通知を受ける現在の時刻である。
【００２０】
伝送データ量監視手段２−１１は、時刻ｔ１から時刻ｔｍまでの所定時間連続して「伝送データのサイズ」が「伝送データ量しきい値」を超えているとき、伝送量異常通知手段２−１３にその旨通知を行う。この通知情報には、前述したように伝送データ量の超過を最初に検出した時刻ｔ１および現在の通知時刻ｔｍが含まれる。
【００２１】
一方、２−１４はＣＰＵ資源監視手段であり、このＣＰＵ資源監視手段２−１４は一定周期（例えば、５秒程度の周期）で動作して監視制御サーバ２を構成するＣＰＵおよびメモリの「ＣＰＵ使用率」と「空きメモリ量」とを採取し、その採取結果をＣＰＵ資源トレンド情報保存手段としてのＣＰＵ資源トレンド情報保存ファイル２−１５へ時系列に保存する。
【００２２】
前述した伝送量異常通知手段２−１３は、伝送データ量監視手段２−１１から通知された「発生時刻ｔ１」から伝送データ量異常の通知を受けた時刻ｔｍまでの一定時間分だけＣＰＵ資源トレンド情報ファイル２−１５を参照し、保存されているＣＰＵ資源トレンド情報と、性能しきい値情報テーブル２−１２に設定されている「性能しきい値」のうちの「ＣＰＵ使用率しきい値」および「空きメモリサイズしきい値」と比較し、ＣＰＵ使用率が「ＣＰＵ使用率しきい値」以上で、かつ「空きメモリサイズ」が「空きメモリサイズしきい値」以下の状態が所定回数以上である場合は、伝送装置３Ａに対するデータロック（データの破棄）を行うべく、伝送ロック設定手段２−６に対してデータ伝送ロック状態への設定要求を行う。
【００２３】
伝送ロック設定手段２−６は伝送ロック設定情報ファイル２−７中の、要求のあった伝送装置３Ａに対応するデータをロック状態に変更する。これを受けて伝送ロック設定手段２−６により伝送ロック状態に設定された伝送装置３Ａからの伝送データ５Ａは、伝送データ受信手段２−１Ａから受信データファイル２−２への保存を行わず破棄する。
【００２４】
一方、伝送データ量が正常なケースの場合、伝送ロック設定情報保存ファイル２−７に保存されている伝送ロック設定情報には、伝送装置３Ａ、３Ｂ、・・・３Ｎに対する伝送ロック状態が設定されていないため、伝送データ受信手段２−１Ａは、受信した伝送データ５Ａ、５Ｂ、・・・５Ｎを、受信データ保存ファイル２−２へ保存を行い、系統監視手段２−３に受け渡す。
【００２５】
図３は、伝送データ受信手段２−１Ａ〜２−１Ｎが設定を行う伝送データ量トレンド情報ファイル２−１０に保存される「伝送データ量トレンド情報」に関するデータ構成の例を示したものである。
【００２６】
伝送データ受信手段２−１Ａ〜２−１Ｎは、伝送装置３Ａ、３Ｂ・・・３Ｎ毎に時刻単位の伝送データ量を保存し、受信した伝送データＡ、Ｂ、・・・Ｎの時刻毎の合計データサイズを保存することで、伝送データ量監視手段２−１１による伝送データ量異常の判定を可能とする。
【００２７】
図４は、ＣＰＵ資源監視手段２−１４が設定を行うＣＰＵ資源トレンド情報ファイル２−１５に関するデータ構成の例を示したものである。  
ＣＰＵ資源トレンド情報ファイル２−１５は、時刻単位にＣＰＵ使用率、空きメモリ量を保存し、時刻毎にＣＰＵ使用率がしきい値以上であり、かつ空きメモリ量がしきい値以下であるかを判定し、伝送量異常通知手段２−１３が通知を受けた時刻ｔｍから遡って伝送量の超過を最初に検出した時刻ｔ１までの間、この判定に合致した回数により伝送データ量異常の判定を行うことが可能であり、この判定を加味した上で伝送量異常通知手段２−１３が伝送ロック設定手段２−６に対するロック設定要求を行う。
【００２８】
図５は、伝送ロック設定手段２−６がロック及びロック解除設定を行う伝送ロック設定情報２−７に関する伝送装置毎のデータ構成の例を示した図であり、伝送データ受信手段２−１Ａ〜２−１Ｎが参照し、受信データ２−２への保存可否の判定に用いる。
【００２９】
図６は、性能しきい値情報テーブル２−１２が有する「伝送データ量しきい値」、「ＣＰＵ使用率しきい値」、「空きメモリサイズしきい値」に関するデータ構成例を示したものであり、伝送データ量監視手段２−１１および伝送量異常通知手段２−１３にて参照を行い伝送量異常の検出に用いる。
【００３０】
図７は、この第１の実施の形態における伝送量異常通知手段２−１３のフローチャートである。  
伝送量異常通知手段２−１３は、伝送データ量監視手段２−１１からの通知により処理を開始し、伝送データ量異常が発生した伝送装置を特定する情報と、伝送データ量の超過を最初に検出した発生時刻を受け取り（Ｓ１１）、発生時刻ｔ１と現在時刻ｔｍとの差を算出する（Ｓ１２）。次に、性能しきい値情報２−１２の内、「ＣＰＵ使用率しきい値」および「空きメモリしきい値」の取得を行う（Ｓ１３）。
【００３１】
続いてＣＰＵ資源トレンド情報２−１５を参照し、現在時刻ｔｍから発生時刻ｔ１までの「ＣＰＵ使用率」及び「空きメモリサイズ」を取得（Ｓ１５）し、しきい値との比較を行う（Ｓ１６）。
【００３２】
このとき「ＣＰＵ使用率」が「ＣＰＵ使用率しきい値」以上で、かつ「空きメモリサイズ」が「空きメモリしきい値」以下か否かの条件判定を行い、この条件に合致している場合（Ｙｅｓ）は超過回数のカウントアップを行い（Ｓ１７）、合致していないとき（Ｎｏ）は、超過回数をそのまま保持する（Ｓ１８）。
【００３３】
このしきい値とＣＰＵ資源トレンド情報２−１５の比較による判定と、判定後の超過回数のカウントアップは、発生時刻と現在時刻との差分回数分繰り返し行い（Ｓ１４）、この処理の中で超過回数が一定回数以上であるかを判定し（Ｓ１９）、この結果一定回数以上の場合は、伝送ロック設定手段２−６に対して、伝送データ量異常が発生している伝送装置をロック状態とする設定要求を行う（Ｓ２０）。
【００３４】
なお、以上は、伝送装置３Ａに異常が発生したとき、監視制御サーバ２が自動的にデータロック処理を実行することについて説明したが、本実施の形態では、伝送ロックマンマシン手段２−５を備えているので、運転員が伝送ロックマンマシン手段２−５から伝送ロック設定手段２−６に伝送ロック指令を出すことができることは当然である。
【００３５】
以上述べたように、第１の実施の形態に係る電力系統監視制御装置によれば、任意の伝送装置３Ａ、３Ｂ、・・・３Ｎから予め設定されている性能値以上の量の想定外の量の伝送データ５Ａ、５Ｂ、・・・５Ｎが監視制御サーバ２に送信されてきた場合に、伝送データ量と監視制御サーバ２のＣＰＵ資源に関する情報とを基に、予め設定されている性能しきい値情報を用いて定量的な判定を実施し異常検出を行うことにより、監視制御サーバ２の運転継続の阻害要因となっている異常な伝送装置からの伝送データを破棄し、正常な伝送装置からの伝送データを取込み、正常な伝送装置からの伝送データを扱うことで監視制御サーバ２の運転を継続することができる。
【００３６】
（第２の実施の形態）
図８は、本発明の第２の実施の形態を示す電力系統監視制御装置のブロック図である。
この第２の実施の形態による電力系統監視制御装置は、第１の実施の形態による電力系統監視制御装置に対して、新たに次の２つの手段を付加したものである。
【００３７】
すなわち、この第２の実施の形態による電力系統監視制御装置は、監視制御サーバ２の伝送データ量トレンド情報２−１０に保存している伝送装置３Ａ、３Ｂ、・・・３Ｎ毎の伝送データ量を新たに設けた定周期で動作する受信データ量予測手段２−１６で参照するようにし、さらに、伝送装置３Ａ、３Ｂ、・・・３Ｎに関する過去一定時間分の伝送データ量のトレンドを線形近似することにより、一定時間経過後に性能しきい値情報テーブル２−１２に設定されている「伝送データ量しきい値」を超過するものと判断した場合に、もう1つの新たに設けた第２の伝送量異常通知手段２−１７に通知するように構成したものである。ここで、を２−１７第２の伝送量異常通知手段と呼称するのは、同じ名称の伝送量異常通知手段２−１３が既に存在するからである。
【００３８】
図９は過去の一定時間分の伝送データ量のトレンドを線形近似する様子を示した図であり、縦軸に一定周期毎の伝送データ量ｄ１、ｄ２、・・・ｄｍをとり、これを時系列に並べて直線で近似したものである。図９の場合、直線で近似された伝送データ量のトレンドは、間も無く「しきい値」を超過するものと判断される。
【００３９】
図９のように間も無く「しきい値」を超過するものと判断される場合、第２の伝送量異常通知手段２−１７は、受信データ量予測手段２−１６からの通知を受けることにより運転員への注意喚起を行う。
【００４０】
運転員は、注意喚起の対象になった伝送装置３Ａからの伝送データを伝送ロック状態に設定するために、伝送ロックマンマシン手段２−５から伝送ロック設定手段２−６に対して設定操作要求を行い、伝送ロック設定情報ファイル２−７に伝送ロック状態を設定する。
【００４１】
図１０は、この第２の実施の形態における受信データ量予測手段２−１６のフローチャートである。  
受信データ量予測手段２−１６は、動作開始後に性能しきい値情報テーブル２−１２から「伝送データ量しきい値」を取得する（Ｓ２１）。次に全ての伝送装置３Ａ、３Ｂ、・・・３Ｎ分（Ｓ２２）に関する現在時刻から過去一定時間分まで伝送データ量トレンド情報ファイル２−１０に保存されている伝送データ量トレンド情報を参照し（Ｓ２３）、伝送データ量と時刻に関する線形近似により線分の傾きを算出する（Ｓ２４）。
【００４２】
この線分の傾きを使用して現在時刻から一定時間経過後のデータ伝送量を算出し予測値とする（Ｓ２５）。算出した予測値を「伝送データ量しきい値」と比較し（Ｓ２６）、予測値が「伝送データ量しきい値」を超過する場合（Ｙｅｓ）は、全ての伝送装置３Ａ、３Ｂ、・・・３Ｎのうち最も線分の傾きが大きい伝送装置に関して伝送量異常通知手段２−１７へ通知する（Ｓ２７）。
【００４３】
受信データ量予測手段２−１６は、全ての伝送装置３Ａ、３Ｂ、・・・３Ｎに関する伝送データ量トレンド情報２−１０の参照から伝送量異常通知手段２−１７への通知（Ｓ２７）を一連の処理とし、処理終了後は次の動作時刻まで待機する（Ｓ２８）。
【００４４】
以上述べたように、第２の実施の形態に係る電力系統監視制御装置によれば、第１の実施の形態の効果に加え、徐々に伝送データ量が増加する場合の兆候を事前に監視して運転員への注意喚起を行うことを可能とし、かつ運転員の判断によって該当する伝送装置からの伝送データを破棄する設定を行うことが可能となる。
【００４５】
（第３の実施の形態）
図１１は、本発明の第３の実施の形態を示す電力系統監視制御装置のブロック図である。  
この第３の実施の形態による電力系統監視制御装置は、前述した第１の実施の形態（図１）による電力系統監視制御装置の機能の向上を図ったもので、伝送装置３Ａ、３Ｂ、・・・３Ｎのうち、任意の伝送装置３Ａからの伝送データ量が異常のため、伝送ロック設定手段２−６による伝送ロック設定情報ファイル２−７に伝送ロック状態（「１」）が設定されている状態で、伝送装置３Ａからの伝送データ量が減少した場合、伝送データ量異常の復帰を検出して、伝送ロック設定手段２−６に対して伝送ロック状態の解除要求を行うように構成されている。
【００４６】
伝送装置３Ａからの伝送データ量は、伝送ロック設定情報ファイル２−７が伝送ロック状態に設定されている場合でも、伝送データ受信手段２−１Ａにより伝送データ量トレンド情報ファイル２−１０に保存されている。
【００４７】
伝送データ量復帰手段２−１８は、定周期に動作して伝送データ量トレンド情報ファイル２−１０の伝送データ量トレンド情報を参照し、性能しきい値情報テーブル２−１２に設定されているしきい値のうちの「伝送データ量しきい値」との比較を行い、一定時間継続して「伝送データ量しきい値」以内となっている場合には、伝送データ量異常の復帰を検出して、伝送ロック設定手段２−６に対して伝送ロック状態の解除要求を行う。
【００４８】
伝送ロック設定手段２−６は、伝送ロック設定情報ファイル２−７に対して伝送装置３Ａに関する伝送ロック状態の解除を行うとともに、系統状態合わせ手段２−８に対して伝送データ５Ａを破棄していた間に変化した電力系統設備１Ａの状態と監視制御サーバ２が保持する電力系統設備状態２−４とを合致させるための状態合わせ要求を行う。  
系統状態合わせ手段２−８は、状態あわせ要求６をデータ送信手段２−９、情報ネットワーク装置４を介して伝送装置３Ａに送信する。
【００４９】
以上述べたように、第３の実施の形態に係る電力系統監視制御装置によれば、「伝送データ量異常からの復帰検出」と、復帰検出後の電力系統設備状態に関する「系統状態合わせ」とを実施することで、電力系統監視制御装置を自動で通常の運用状態に戻すことが可能である。
【００５０】
（第４の実施の形態）
図１２は、本発明の第４の実施の形態を示す電力系統監視制御装置のブロック図である。  
この第４の実施の形態の電力系統監視制御装置は、前述した第２の実施の形態（図８）による電力系統監視制御装置の機能の向上を図ったもので、伝送装置３Ａ、３Ｂ、・・・３Ｎに対する伝送ロック設定の優先度情報を保存したロック設定優先度情報ファイル２−１９を新たに設けることにより、同時期に複数の伝送装置で伝送データ量が異常となると予測される場合、優先度の低い伝送装置から送信されてくる伝送データを破棄し、電力系統監視制御において重要系統設備の状態を伝送する伝送装置から送信されてくる伝送データを可能な限り破棄せずに、重要系統設備の系統監視を継続することができるように構成されている。
【００５１】
一例として、監視制御サーバ２の受信データ量予測手段２−１６により伝送装置３Ａ、３Ｂ、・・・３Ｎのうち複数の伝送装置３Ａ、３Ｂにて伝送データ量が増加傾向であると検出した場合のケースについて説明する。
【００５２】
監視制御サーバ２の受信データ量予測手段２−１６は、一回の動作で全ての伝送装置３Ａ、３Ｂ、・・・３Ｎに関する伝送データ量の増加傾向の判定を行う。伝送装置３Ａ、３Ｂ、・・・３Ｎのうち、３Ａが一定時間経過後に性能しきい値情報２−１２のうち「伝送データ量しきい値」を超過すると判断した場合に、その超過予定時刻前後の時間帯に３Ａ以外の他の伝送装置３Ｂ、・・・伝送装置３Ｎにて性能しきい値情報テーブル２−１２に設定されている「伝送データ量しきい値」を超過するか否かを判定する。
【００５３】
この判定の結果、伝送装置３Ｂが超過する見込みがあると判定した場合には、伝送量異常通知手段２−１７に対して通知を行う。伝送量異常通知手段２−１７はこの通知を受けることにより、伝送ロック設定優先度情報ファイル２−１９に保存されている伝送ロック設定優先度情報を参照し、伝送装置３Ａおよび３Ｂのうち優先度の低い伝送装置の固有名（例えば、３Ｂ等）、あるいは複数の伝送装置３Ａ、３Ｂ・・・の優先度を記載した一覧表を運転員へ通知し、注意喚起を行う。
【００５４】
運転員は、同時期に複数の伝送装置で伝送データ量が異常となると予測される場合において、優先度の低い伝送装置からの伝送データを破棄し、電力系統監視制御において重要系統設備の状態を伝送する伝送装置からの伝送データを可能な限り破棄せずに、重要系統設備の系統監視を継続する。
【００５５】
図１３は、伝送ロック設定優先度情報ファイル２−１９に保存されている伝送装置３Ａ、３Ｂ、・・・３Ｎに対する伝送ロック設定時の優先度を保存するデータ構成の例を示したものである。
【００５６】
以上述べたように、第４の実施の形態に係る電力系統監視制御装置によれば、伝送装置３Ａ、３Ｂ、・・・３Ｎに対して伝送ロック設定の優先度を保存した伝送ロック設定優先度情報ファイル２−１９を設けるようにしたので、同時期に複数の伝送装置で伝送データ量が異常となると予測される場合、優先度の低い伝送装置からの伝送データを破棄し、電力系統監視制御において重要系統設備の状態を伝送する伝送装置からの伝送データを可能な限り破棄せずに、重要系統設備の系統監視を継続することを可能とすることができる。
【００５７】
（変形例）
以上述べた第１乃至第４の実施の形態では、情報伝送ネットワーク装置が１つの場合を説明したが、本発明はこれに限定されるものではなく、例えば、情報伝送ネットワーク装置４を複数用意し、複数の情報伝送ネットワーク装置を共通の監視制御サーバ２と結合する構成であってもよい。
【図面の簡単な説明】
【００５８】
【図１】本発明の第１の実施の形態を示す電力系統監視制御装置の構成図。
【図２】第１の実施の形態における伝送データ量監視手段の内部応動状況と、通知を受ける伝送量異常通知手段との関係を示す図。
【図３】本発明の第１の実施の形態の伝送装置毎の伝送データ量トレンド情報のデータ構成図。
【図４】本発明の第１の実施の形態の監視制御サーバのＣＰＵ資源トレンド情報のデータ構成図。
【図５】本発明の第１の実施の形態の伝送装置毎からの伝送データの受信データへの保存可否を行う伝送ロック設定情報のデータ構成図。
【図６】本発明の第１の実施の形態の伝送データ量異常を判定する際の性能しきい値を保存するデータ構成図。
【図７】本発明の第１の実施の形態の伝送データ量異常を通知する伝送量異常通知手段のフローチャート。
【図８】本発明の第２の実施の形態を示す電力系統監視制御装置の構成図。
【図９】第２の実施の形態における過去一定時間分の伝送データ量のトレンドを線形近似する様子を示した図。
【図１０】本発明の第２の実施の形態の受信データ量予測手段のフローチャート。
【図１１】本発明の第３の実施の形態を示す電力系統監視制御装置の構成図。
【図１２】本発明の第４の実施の形態を示す電力系統監視制御装置の構成図。
【図１３】本発明の第４の実施の形態の伝送装置毎の優先度を保存する伝送ロック設定優先度のデータ構成図。
【図１４】従来の電力系統監視制御装置の構成図。
【符号の説明】
【００５９】
１Ａ〜１Ｎ…電力系統設備、２…監視制御サーバ、２−１Ａ〜２−１Ｎ…伝送データ受信手段、２−２…受信データファイル、２−３…系統監視手段、２−４…電力系統設備情報、２−５…伝送ロックマンマシン手段、２−６…伝送ロック設定手段、２−７…伝送ロック設定情報ファイル、２−８… 系統状態合わせ手段、２−９…データ送信手段、２−１０…伝送データ量トレンド情報、２−１１…伝送データ量監視手段、２−１２…性能しきい値情報、２−１３…伝送量異常通知手段、２−１４…ＣＰＵ資源監視手段、２−１５…ＣＰＵ資源トレンド情報、２−１６…受信データ量予測手段、２−１７…伝送量異常通知手段、２−１８…伝送データ量復帰手段、２−１９…伝送ロック設定優先度情報、３Ａ〜３Ｎ…伝送装置、４…情報伝送ネットワーク装置５Ａ、〜５Ｎ…伝送データ、６…状態あわせ要求データ。
【図１】
2010110040.tif 000003
【図２】
2010110040.tif 000004
【図３】
2010110040.tif 000005
【図４】
2010110040.tif 000006
【図５】
2010110040.tif 000007
【図６】
2010110040.tif 000008
【図７】
2010110040.tif 000009
【図８】
2010110040.tif 000010
【図９】
2010110040.tif 000011
【図１０】
2010110040.tif 000012
【図１１】
2010110040.tif 000013
【図１２】
2010110040.tif 000014
【図１３】
2010110040.tif 000015
【図１４】
2010110040.tif 000016